(57)【要約】  【課題】ラベル本来の機能を損なうことなくＲＦＩＤの電子部品を適切に保護することができるＲＦＩＤ粘着ラベルを得る。  【解決手段】一方表面をラベル面２１ａとした基材シート２１と、その反ラベル面２１ｂに固着したＲＦＩＤのインレイ１１とを備え、ラベル面２１ａとは背反する側の面に被着物に対する粘着領域Ｘを設けたＲＦＩＤ粘着ラベル１に、インレイ１１における基材フィルム１１ｃから突出するＩＣチップ１１ａを包囲する開口部４１ａを有しラベル面２１ａを平坦にする厚さ調節シート４１と、ラベル面２１ａのうちインレイ１１のＩＣチップ１１ａを含む領域を上方から覆う部分に固着される透光性を有する耐衝撃部材３１とを設けた。  【選択図】図３
2007057858.tif 000002
【特許請求の範囲】
【請求項１】
一方表面をラベル面とした基材シートと、前記基材シートの平面大きさと同一以下の平面大きさを有し且つ前記基材シートの反ラベル面に固着したＲＦＩＤのインレイとを備え、前記ラベル面とは背反する側の面に被着物に対する粘着領域を設けたＲＦＩＤ粘着ラベルであって、
前記インレイにおける基材フィルムから突出するＩＣチップを包囲する開口部を有する厚さ調節シートと、前記基材シートのラベル面のうち前記インレイにおけるＩＣチップを含む領域を上方から覆う部分に固着される透光性を有する耐衝撃部材とを備えたことを特徴とするＲＦＩＤ粘着ラベル。
【請求項２】
請求項１記載のＲＦＩＤ粘着ラベルであって、
前記耐衝撃部材を、液状で前記基材シートのラベル面に対して上方から滴下した後硬化させることによって固着した弾力性及び可撓性を有し透明又は半透明な合成樹脂素材から形成した請求項１記載のＲＦＩＤ粘着ラベル。
【請求項３】
請求項２記載のＲＦＩＤ粘着ラベルであって、
前記合成樹脂素材はウレタン樹脂である請求項２記載のＲＦＩＤ粘着ラベル。
【請求項４】
請求項２乃至３いずれか記載のＲＦＩＤ粘着ラベルであって、
前記基材シートは、周縁部に尖った部分がなく丸みを帯びた平面視形状を有し、前記耐衝撃部材の周縁部を丸みを帯びた平面視形状とした請求項２乃至３いずれか記載のＲＦＩＤ粘着ラベル。
【請求項５】
請求項１乃至４いずれか記載のＲＦＩＤ粘着ラベルであって、
前記基材シートのラベル面にＰＥＴ樹脂フィルムを被着させ、前記ＰＥＴ樹脂フィルムに対して前記耐衝撃部材を固着した請求項１乃至４いずれか記載のＲＦＩＤ粘着ラベル。
【請求項６】
請求項１乃至５いずれか記載のＲＦＩＤ粘着ラベルであって、
前記耐衝撃部材を、前記インレイの全面を上方から覆う位置に配置した請求項１乃至５いずれか記載のＲＦＩＤ粘着ラベル。
【請求項７】
請求項１乃至６いずれか記載のＲＦＩＤ粘着ラベルであって、
前記インレイをＩＣチップが前記基材シートとは反対側に向けて突出させる姿勢で配置し、前記厚さ調節シートを、前記基材シートとの間に前記インレイを挟む位置に設け、前記厚さ調整シートの前記基材シートとは反対側の面に前記粘着領域を設けた請求項１乃至６いずれか記載のＲＦＩＤ粘着ラベル。
【発明の詳細な説明】
【技術分野】
【０００１】
本発明は、ＲＦＩＤを含む粘着ラベルに関するものである。より詳しくは、ＲＦＩＤの機能を好適に保護し得るようにしたＲＦＩＤを含む粘着ラベルに関するものである。
【背景技術】
【０００２】
ＲＦＩＤは、ＩＣタグ、ＲＦタグ、無線タグ、電子タグなどとも呼ばれるもので、これを貼付などされた物品等と、その物品等に関する情報とを一体化させる目的で使用される。インレイとは、ＰＥＴなどの基材フィルム上にアンテナとアンテナに連結されたＩＣチップが固定されたＲＦＩＤの回路単位をいう。
【０００３】
このようなＲＦＩＤには、基材シートの一方表面を、製品名や製造番号、製造・販売業者名やロゴ、模様等が印刷されたラベル面として、その反対側の面にインレイを固着し、そのインレイの基材シートとは反対側の面に粘着剤や接着剤を塗布したり或いは両面粘着テープを貼着することで、全体としてＲＦＩＤ粘着ラベル（シールと呼んでも差し支えない）として使用できるように構成されたものが知られている。
【０００４】
ところで、基材シートは薄い紙、合成紙、合成樹脂等の素材からなるフィルム状であるため、ＲＦＩＤ粘着ラベルを被着物に貼着した使用時や使用前の保存・輸送時に外部から強い力が作用すると、電子部品であるインレイ、特にＩＣチップやアンテナ等が損傷を受ける可能性がある。ＲＦＩＤ粘着ラベルの使用時や使用前に電子部品が破損すると、被着物に付した又は付すべき固有の個体特定情報を電子的に認識することができなくなり、ＲＦＩＤ本来の機能が喪失してしまう。
【０００５】
従来、特に衝撃に弱いインレイのＩＣチップを保護するための構成を有するＲＦＩＤ粘着ラベルとして例えば、ラベル面を有する基材シートのうち、ＩＣチップに対応する部位に衝撃緩和用の開口を設けた態様のものが提案されている。
【特許文献１】特開２００５-１８７１２７公報
【発明の開示】
【発明が解決しようとする課題】
【０００６】
上述のようなＲＦＩＤ粘着ラベルでは、開口の存在によって、基材シート全体に対して均一に作用する圧力からはＩＣチップを保護することは可能であるが、ＩＣチップやその近傍、あるいはアンテナ等の電子部品に集中して作用した外力からはＩＣチップを保護することが難しい。また、基材シートに開口を設けることで、ラベル面に穴が開いた態様となり、ＲＦＩＤ粘着ラベルを被着物に貼り付けた使用状態でＩＣチップが外部から見えるなど、デザイン的な問題も存する。
【０００７】
そこで本発明は、ラベル本来の機能を損なうことなくＲＦＩＤの電子部品を適切に保護することができるＲＦＩＤ粘着ラベルを得ることを課題とする。
【０００８】
本発明のその他の課題は、以下の本発明の説明により明らかになる。
【課題を解決するための手段】
【０００９】
上記の課題を解決するため、本発明の一の態様にかかるＲＦＩＤ粘着ラベルは、一方表面をラベル面とした基材シートと、前記基材シートの平面大きさと同一以下の平面大きさを有し且つ前記基材シートの反ラベル面に固着したＲＦＩＤのインレイとを備え、前記ラベル面とは背反する側の面に被着物に対する粘着領域を設けたＲＦＩＤ粘着ラベルであって、前記インレイにおける基材フィルムから突出するＩＣチップを包囲する開口部を有する厚さ調節シートと、前記基材シートのラベル面のうち前記インレイにおけるＩＣチップを含む領域を上方から覆う部分に固着される透光性を有する耐衝撃部材とを備えた。
【００１０】
本ＲＦＩＤ粘着ラベルは、基材シートやインレイの粘着領域によって被着体に貼り付けられ、その結果として被着物たる物品に固有の個体識別情報を付与することができる。その状態、すなわち使用状態、又は通常は粘着領域が剥離紙等に貼着された使用前の状態では、基材シートのラベル面のうち、インレイの一部が基材シートを介して耐衝撃部材に覆われるので、少なくともその覆われている部位においてはラベル面側からの外部からの衝撃からインレイの電子部品を保護することが可能となる。耐衝撃部材は透光性を有しているので、外部からのラベル面の視認が可能であり、このような耐衝撃部材を設けることによってもラベル本来の機能が損なわれることがない。また、インレイのＩＣチップが厚さ調節シートの開口部で包囲されるため、当該ＩＣチップの存在による本ＲＦＩＤ粘着ラベル全体の凹凸を厚さ調節シートで吸収できるので、ＩＣチップの破損をさらに防止することが可能となる。
【００１１】
本発明の好ましい実施態様にかかるＲＦＩＤ粘着ラベルは、前記耐衝撃部材を、液状で前記基材シートのラベル面に対して上方から滴下した後硬化させることによって固着した弾力性及び可撓性を有し透明又は半透明な合成樹脂素材から形成してもよい。
【００１２】
このような性質の合成樹脂は、本発明に用いる耐衝撃部材に適しており、軽量であるのでラベルとしても扱いやすい。硬化前の液状の合成樹脂を滴下する場合、ラベル面は平坦であることが望ましいが、厚さ調節シートによってインレイのＩＣチップによる凹凸が吸収されてラベル面を平坦に保っているので、耐衝撃部材をラベル面上で偏りなく、簡易な工程で硬化させて、効率的に本発明のＲＦＩＤ粘着ラベルを作成することができる。しかしながら、本発明における耐衝撃部材は、ラベル面上で硬化させた部材に限られることはなく、シート状に固化したウレタン樹脂、合成ゴムなどを適宜の大きさに切断して、粘着剤、接着剤などの固定手段により、基材シートのラベル面に固着してもよい。
【００１３】
本発明の好ましい実施態様にかかるＲＦＩＤ粘着ラベルは、前記合成樹脂素材がウレタン樹脂であってもよい。ウレタン樹脂は、弾力性や可撓性などに優れ、ＩＣチップの破損をよりよく防止することが可能となるととに、透明性に優れ、ラベル面が美麗となるからである。
【００１４】
このように合成樹脂を滴下した後に硬化させる場合、前記基材シートは、周縁部に尖った部分がなく丸みを帯びた平面視形状を有し、前記耐衝撃部材の周縁部を丸みを帯びた平面視形状とすることが好適である。
【００１５】
滴下した合成樹脂は、表面張力により丸みを帯びて広がるので、使用時に外部から見える耐衝撃部材と基材シートの形状を対応させやすくなる。「周縁部に尖った部分がなく丸みを帯びた形状」とは、角を丸く切取った三角形、四角形、多角形、１以上の辺が外に凸の曲線である概略四角形、楕円形などを例示することができる。同様に、前記耐衝撃部材を、円形状とすることも好適である。さらに、基材シートとインレイをほぼ同じ平面大きさの円形状とすることもできる。
【００１６】
基材シートを以上のような形状とする場合には、特にラベル面の全面に耐衝撃部材を固着する形態が、意匠的にも優れている。
【００１７】
さらに本発明の好ましい実施態様にかかるＲＦＩＤ粘着ラベルでは、前記基材シートのラベル面にＰＥＴ樹脂フィルムを被着させ、前記ＰＥＴ樹脂フィルムに対して前記耐衝撃部材を固着することができる。
このように構成することで、ラベル面に耐衝撃部材を極めて美麗に重ねることが可能となる。ＰＥＴ樹脂フィルムの被着方法としては、粘着剤を塗布したＰＥＴ樹脂フィルムをラベル面に貼り合せる方法を挙げることができる。
【００１８】
また、本発明の好ましい実施態様にかかるＲＦＩＤ粘着ラベルは、前記耐衝撃部材を、前記インレイの全面を上方から覆う位置に配置したものである。この態様であれば、インレイのうちＩＣチップやアンテナの位置を特に考慮しなくても、簡単な工程でより確実に耐衝撃部材によるインレイの保護が可能となる。
【００１９】
また、本発明のより好ましい実施態様にかかるＲＦＩＤ粘着ラベルは、前記耐衝撃部材を、前記基材シートの全面を上方から覆うように配置してもよい。この態様であれば、インレイ自体の基材シートに対する位置関係を特に考慮しなくても、簡単な工程でより確実に耐衝撃部材によるインレイの保護が可能となる。
【００２０】
以上の他にも好ましい本発明の実施態様にかかるＲＦＩＤ粘着ラベルは、前記インレイをＩＣチップが前記基材シートとは反対側に向けて突出させる姿勢で配置し、前記厚さ調節シートを、前記基材シートとの間に前記インレイを挟む位置に設け、前記厚さ調整シートの前記基材シートとは反対側の面に前記粘着領域を設けたものである。この態様であれば、厚さ調節シートによるＩＣチップの突出量の吸収に加えて、インレイの基材フィルムの剛性も寄与して、ラベル面の平坦化を好適に図ることができるようになる。この場合、厚さ調節シートとして一部に前記ＩＣチップを包囲する前記開口部を形成した両面粘着シートを適用してもよいし、粘着領域とは別に厚さ調節シートを設けてもよい。もっとも、本発明においては、前記インレイをＩＣチップが前記基材シート側に向けて突出させる姿勢で配置し、前記厚さ調節シートを、前記基材シートとインレイとの間に設けたＲＦＩＤ粘着ラベルとすることも可能である。
【００２１】
以上説明した本発明の態様、好ましい実施態様及びこれらに含まれる構成要素は可能な限り組み合わせて実施することができる。
【発明の効果】
【００２２】
本発明によれば、基材シートのラベル面の一部又は全部を透光性がある耐衝撃部材で覆って固着するという簡易な構成で、ＲＦＩＤの電子部品、特にＩＣチップを外部からの衝撃から保護することができ、ラベル面に凹凸が生じ難く耐衝撃部材を設けやすく、しかもラベル面の視認性も低下しないという、商品価値の高いＲＦＩＤ粘着ラベルを得ることができる。このような本発明は、例えば荷札、商品札、シール、病院等での患者識別バンド、キーホルダ等に適用した場合に極めて有用である。
【発明を実施するための最良の形態】
【００２３】
以下に図面を参照して、本発明にかかるＲＦＩＤ粘着ラベルをさらに説明する。この発明の実施例に記載されている部材や部分の寸法、材質、形状、その相対位置などは、特に特定的な記載のない限りは、この発明の範囲をそれらのみに限定する趣旨のものではなく、単なる説明例に過ぎない。
【実施例】
【００２４】
図１は、ＲＦＩＤ粘着ラベル１を斜め上方から見た斜視説明図であり、図２はＲＦＩＤ粘着ラベル１を斜め下方から見た部分分解斜視説明図である。図３はＲＦＩＤ粘着ラベル１をインレイ１１のＩＣチップ１１ａを通過する直径に沿って破断した状態を示す模式的な断面説明図である。このＲＦＩＤ粘着ラベル１は、ＲＦＩＤのインレイ１１と、基材シート２１と、基材シート２１を覆う耐衝撃部材３１を備えた平面視円形状をなすものである。本実施例では基材シート２１の平面大きさは、インレイ１１の平面大きさよりも一回り大きく、インレイ１１は、基材シート２１の周縁部の内側に配置され固着されている。なお、図３においてＲＦＩＤ粘着ラベル１の外側の領域に想像線で示した部分は、本ＲＦＩＤ粘着ラベル１が使用前に貼り付けられている剥離紙（所謂セパレータ）８１である。以下に、本ＲＦＩＤ粘着ラベル１のより詳細な具体的構成について説明する。
【００２５】
基材シート２１は、一方面をラベル面２１ａとし、他方面である反ラベル面２１ｂにインレイ１１を固着させたシート状をなすものである。基材シート２１の材質には特に制限はなく、紙、合成紙、ポリエチレンテレフタレート（ＰＥＴ）、ポリオレフィン系、アクリル系、ポリウレタン系などの合成樹脂、ポリ乳酸などの生分解性樹脂などを使用することができるが、本実施例では特に、ラベル面２１ａ側に合成樹脂製の耐衝撃部材３１を固着しやすくするために、合成紙２１１に透明なＰＥＴ樹脂フィルム２１２を粘着剤などで貼着しラミネート加工した態様の基材シート２１を採用している。
【００２６】
この基材シート２１のラベル面２１ａ、実質的には合成紙２１１の一方表面には、本ＲＦＩＤ粘着ラベル１のデザイン、商品名や製造・販売会社等の所要事項を予め印刷しておくことができる。一方、反ラベル面２１ｂには、その全面に粘着剤６１が塗布されてインレイ１１の一方面全域を固着させている。基材シート２１とインレイ１１との固着には、接着剤や粘着剤の使用等、公知の固着手段を適用できる。
【００２７】
インレイ１１は、基材フィルム（例えば厚さ３８μｍのＰＥＴフィルム）１１ｃ上に接着剤を塗布し、アルミニウムを含むインキを用いてスクリーン印刷により渦巻き状のアンテナ１１ｂを形成する。さらに当該アンテナ１１ｂにＩＣチップ１１ａを導電的に接続・固定したものである。インレイ１１は上記基本的構成に、さらに片面及び／又は両面に、合成紙、ＥＶＡ、ＰＥＴシートなどが積層されていてもよい。より簡易な構成の観点から、基材フィルムと電気回路部分のみからなるインレイであることが好ましい。なおインレイ１１は、その他の材料、製造方法等で製造されたものでもよい。例えば基材フィルム１１ｃは、ポリイミドフィルム、ＰＢＴフィルムであってもよい。基材フィルム１１ｃの厚さに特に制限はないが、通常１０μｍ〜１００μｍ、好ましくは２０μｍ〜７０μｍである。アンテナの形状は、例えばダイポールアンテナであってもよい。アンテナの材質は、例えば銅であってもよい。銅箔のアンテナは、基材フィルムの上に銅箔層を形成し、レジストを用いてエッチングにより形成してもよく、アンテナ形状の銅箔をプレスなどにより基材フィルム１１ｃ上に貼り付けてもよい。
【００２８】
このようなインレイ１１は、本実施例のＲＦＩＤ粘着ラベル１においては、ＩＣチップ１１ａやアンテナ１１ｂが設けられた面（便宜上、チップ面と呼ぶ）を下向き、すなわち基材シート２１とは反対側を向いた姿勢で、基材フィルム１１ｃが基材シート２１に固着される。つまり、ＩＣチップ１１ａはインレイ１１の基材フィルム１１ｃから下方へ突出した状態となっている。ただし、アンテナ１１ｂはごく細いものであるので、アンテナ１１ｂ自体の基材フィルムからの突出は実質的には無視できる程度である。ここで、ＩＣチップ１１ａの突出量を厚さの観点から吸収するべく、インレイ１１のチップ面には、ＩＣチップ１１ａを包囲する位置に円形の孔からなる開口部４１ａを形成した厚さ調整シート４１を粘着剤７１で固着している。この厚さ調節シート４１には、紙、合成紙、樹脂フィルム等の適宜の素材を採用することができる。厚さ調節シート４１の厚さは、ＩＣチップ１１ａの突出高さ（例えば１１０μｍ程度）以上の厚さであればよいが、好ましくは、ＩＣチップ１１ａの突出高さと略等しい厚さであり、より好ましくは、当該突出高さよりも若干厚い厚さである。
【００２９】
そして、この厚さ調節シート４１のインレイ１１とは反対側の面に、粘着領域Ｘを構成する部材として、両面粘着テープ５１を貼着している。両面粘着テープ５１は、基材フィルム５１ａの両面に粘着層５１ｂ、５１ｃを有する公知のものを適宜採用することができる。一方の粘着層５１ｃが、本ＲＦＩＤ粘着ラベル１の粘着領域Ｘを構成し、この粘着層５１ｃによって本ＲＦＩＤ粘着ラベル１が被着物に貼着されることとなる。例えば基材フィルム５１ａには、厚さ１２μｍのＰＥＴ素材を適用することが好ましい。
【００３０】
以上のような構成により、ＲＦＩＤ粘着ラベル１において基材シート２１のラベル面２１ａ側は、主として上述した厚さ調節シート４１により、またインレイ１１の基材フィルム１１ｃの剛性にもより、インレイ１１のＩＣチップ１１ａの存在にも拘わらずほぼ平坦な状態となる。そこで、ラベル面２１ａ側に設けたＰＥＴ樹脂フィルム２１２に対して、溶融した液状の合成樹脂、本実施例ではウレタン樹脂を上方から滴下し、そのまま硬化させることで耐衝撃部材３１を形成する。耐衝撃部材３１は、少なくともＩＣチップ１１ａを覆う領域に設ける必要があるが、より好ましくはインレイ１１全体を覆う領域に設けることがアンテナ１１ｂも含めた電子部品全体の保護の観点からは望ましく、さらに意匠的な観点からはラベル面２１ａ全体を覆うように設けることがより望ましい。このような耐衝撃部材３１は、周縁部から中央部に向けて次第に隆起する形状をなしており、硬化後は凸レンズ的な効果を発揮してラベル面２１ａを立体的に見せることもできる。なお、図示例では耐衝撃部材３１の中央部が扁平となった態様を示したが、耐衝撃部材３１全体が部分球体状をなすものであってもよい。あるいは、耐衝撃部材３１の各部分が等しい厚さであってもかまわない。
【００３１】
本ＲＦＩＤ粘着ラベル１は、以上のような構成であるから、耐衝撃部材３１を設けることで脆弱な部品であるＩＣチップ１１ａを使用前及び使用時において好適に保護することが可能である。しかもこの耐衝撃部材３１は、液状で基材シート２１のラベル面２１ａに滴下した後で硬化させて形成したものであるため、ラベル面２１ａに傾斜や凹凸が存在すると適切に耐衝撃部材３１を配置するのが困難となるが、ＩＣチップ１１ａを包囲する開口部４１ａを形成した厚さ調節シート４１を設けるという簡易な構成で、ＩＣチップ１１ａの存在による凹凸のないラベル面２１ａを得ることができる。したがって、このようなＲＦＩＤ粘着ラベル１を用いれば、電子部品が破損する虞が極めて少なく信頼性の高いＲＦＩＤとして利用することができる。
【００３２】
以上のような実施例の他、本発明のＲＦＩＤ粘着ラベルの形状や具体的構成は適宜変更することが可能である。例えば、粘着領域を構成する両面粘着テープに代えて、ホットメルト系の粘着剤の塗布など、適宜の粘着手段の適用が可能である。また、上記実施例の厚さ調節シートとして両面粘着テープ５１を利用し、この両面粘着テープ５１にＩＣチップを包囲する開口部を設けることもできる。さらに、チップ面が上を向くようにインレイを配置して、そのインレイと基材シートとの間に厚さ調節シートを配置する態様も可能である。さらに、厚さ調節シートの開口部は、上記実施例では円形の孔としたがそれに限定されず適宜の形状とすることができ、厚さ調節シートの周縁部に連続して開放される切り欠きであってもよい。また各種粘着剤は、基材シートやインレイに対して全面に塗布したり、点状や縞状に塗布してもよく、両面粘着テープの粘着層の粘着剤についても同様とすることができる。
【産業上の利用可能性】
【００３３】
本発明にかかるＲＦＩＤ粘着ラベルは、例えば荷札、商品札、シール、病院等での患者識別バンド、キーホルダ等に利用することができる。
【図面の簡単な説明】
【００３４】
【図１】ＲＦＩＤ粘着ラベル１を斜め上方から見た斜視説明図である。
【図２】ＲＦＩＤ粘着ラベル１を斜め下方から見た部分分解斜視説明図である。
【図３】ＲＦＩＤ粘着ラベル１を直径に沿って破断した状態を示す模式的な断面説明図である。
【符号の説明】
【００３５】
１      ＲＦＩＤ粘着ラベル
１１    インレイ
１１ａ  ＩＣチップ
１１ｂ  アンテナ
１１ｃ  基材フィルム
２１    基材シート
２１ａ  ラベル面
２１ｂ  反ラベル面
２１１  合成紙
２１２  ＰＥＴ樹脂フィルム
３１    耐衝撃部材
４１    厚さ調節シート
４１ａ  開口部
５１    両面粘着テープ
５１ａ  基材フィルム
５１ｂ  粘着層
５１ｃ  粘着層
６１    粘着剤
７１    粘着剤
８１    剥離紙
Ｘ      粘着領域
【図１】
2007057858.tif 000003
【図２】
2007057858.tif 000004
【図３】
2007057858.tif 000005